(57)【要約】      （修正有）【課題】単純な構造で製造コストを抑え、しかも場所を取らずに口径の小さなタンク、また球体のような形状のタンクでも設置できる液量計を提供する。【解決手段】測定対象の液体より大きな比重を有する浮力体１と、該浮力体を保持するホルダー部４と、該ホルダー部と前記浮力体とに連結されて前記浮力体を上方に付勢する付勢手段２と、前記浮力体上端部に設けられた接点部１０と、前記ホルダー部上蓋１１内側の２箇所に配置された支点と、該２箇所の支点と前記接点部との間に配置されたゲージプレート５と、該ゲージプレートの前記接点部との接触面の反対側に貼り付けたストレインゲージ６と、該ストレインゲージに接続された演算ソフトとからなり、液量の変化に応じて変化する浮力体からの圧力を電気信号に変換して液量レベルを計測、表示することを特徴とする。【選択図】図１
0003119053.tif 000002
【実用新案登録請求の範囲】
【請求項１】
測定対象の液体より大きな比重を有する浮力体と、該浮力体を保持するホルダー部と、該ホルダー部と前記浮力体とに連結されて前記浮力体を上方に付勢する付勢手段と、前記浮力体上端部に設けられた接点部と、前記ホルダー部上蓋内側の２箇所に配置された支点と、該２箇所の支点と前記接点部との間に配置されたゲージプレートと、該ゲージプレートの前記接点部々の接触面の反対側に貼り付けたストレインゲージとからなり、液量の変化に応じて変化する浮力体からの圧力を電気信号に変換して液量レベルを計測することを特徴とする液量計。
【請求項２】
測定対象の液体より大きな比重を有する浮力体と、該浮力体を保持するホルダー部と、該ホルダー部と前記浮力体とに連結されて前記浮力体を上方に付勢する付勢手段と、前記浮力体上端部に設けられた接点部と、前記ホルダー部上蓋内側の２箇所に配置された支点と、該２箇所の支点と前記接点部との間に配置されたゲージプレートと、該ゲージプレートの前記接点部との接触面の反対側に貼り付けたストレインゲージとからなり、液量の変化に応じて変化する浮力体からの圧力を電気信号に変換して液量レベルを計測することを特徴とする液量計であって、前記浮力体からの圧力が液レベル、又は液量の変化に比例して変化する浮力体形状とすることを特徴とする液量計。
【考案の詳細な説明】
【技術分野】
【０００１】  本考案は、設置型灯油タンク等の液量を表示する液量計に関する。
【背景技術】
【０００２】  設置型灯油タンク等の液体タンクの液量を表示する機構としてはフロート型が一般的に用いられている。例えば、特許文献１（実開昭６４−２１２１号公報）には、液体容器内に上下方向に枢動可能に設けられ該液体容器内の液面に浮く浮子を一端部に取着した浮子アームと、前期液体容器の上部に設けられた表示部とを有した液量計が開示されている。この浮子は液面に浮くことにより液量の増減に従って上下動するため、この動きをリンク機構を介して表示部に伝達する構成となっている。【０００３】  また、特許文献２（実開平７−３９７１３号公報）には、浮力物を用いた電気釜の水量測量器具が開示されており、浮力物の上下によって電気釜内の水量を計測する機構が提案されている。しかし、この「浮力物」は、「下端部が図３で示すように水面に浮き上がるような素材から構成され、しかもその下端部が水面下に入り込み米と接触しないように平坦面にて形成されている」との記述がある。すなわち、この浮力物は水面上に完全に浮き上がって上下動するものである。【０００４】  一方、電気的な機構を用いた液量計としては、特許文献３（特開平１１−７２３７１号公報）に、ストレインゲージ式ロードセルを利用した液体の液位／液量測定システムが提案されている。この発明では、測定しようとするタンク内の被測定液体と平均密度が類似した浮力錘を紐を通じて垂直に長く設置して、紐の反対側をロードセルに接続し、液体の液位によって変わる浮力錘の重さ変化量を電圧に変換して測定するシステムが開示されている。【０００５】
【特許文献１】実開昭６４−２１２１号公報
【特許文献２】実開平７−３９７１３号公報
【特許文献３】特開平１１−７２３７１号公報
【考案の開示】
【考案が解決しようとする課題】
【０００６】  特許文献１に代表されるようなフロート型の液量計では、リンク機構をタンク内にない蔵しなければならないので、ある程度の幅或いは奥行きのあるタンクでなければ設置できないという欠点があった。【０００７】  特許文献２に提案されているタイプの液量計では、浮力物を含むスライド部は上下に動くので平面的な空間は少なくて済む。しかし、浮力物の上下動は水面の増減と同じ距離であるため、電気釜のような小さなものには適用できるが、灯油タンクのような大きいものに適用しようとすると表示部の長さがきわめて長くなってしまうという問題点がある。【０００８】  特許文献３に提案されているようなロードセル型液量測定システムでは、紐を通じて浮力錘をタンク内に垂らしているため浮力錘の安定性がなく、タンク内での液体の流れなどがある場合には浮力錘が動揺してしまって測定値に誤差を生ずるという問題がある。従って、特許文献３では、このような浮力錘の動揺を防止するため、浮力錘の周囲を囲む補助管の設置も提案している。【０００９】  特許文献３に提案されているようなロード式セル型の液量測定システムでは、浮力体が上端から下端まで均一な断面積であり、液面の高さの変化に比例した電気信号を検出する。タンクの形状の断面積が均一であれば簡単な計算で液量を算出できるが、タンク形状が球体のような断面積が均一でない場合はタンクの形状に合わせた計算が必要となり、演算ソフトが複雑になる欠点がある。【００１０】  本考案の液量計は上述の問題点に鑑みてなされたものであり、単純な構造で製造コストを抑え、しかも場所を取らずに口径の小さなタンクでも設置できる液量計を提供することを課題とする。
【課題を解決するための手段】
【００１１】  上記の課題を解決するため本考案による液量計は、測定対象の液体より大きな比重を有する浮力体と、該浮力体を保持するホルダー部と、該ホルダー部と前記浮力体とに連結されて前記浮力体を上方に付勢する付勢手段と、前記浮力体上端部に設けられた接点部と、前記ホルダー部上蓋内側の２箇所に配置された支点と、該２箇所の支点と前記接点部との間に配置されたゲージプレートと、該ゲージプレートの前記接点部との接触面の反対側に貼り付けたストレインゲージとからなり、液量の変化に応じて変化する浮力体からの圧力を電気信号に変換して液量レベルを計測することを特徴とする。【００１２】浮力体からの圧力が液レベル、又は液量の変化に比例して変化する浮力体形状とすることを特徴とする。
【考案の効果】
【００１３】  本考案による液量計は構造が簡単なので安いコストで製造することができる。特に、ホルダー部から浮力体までは製造が必要であるが、ストレインゲージは市販のものを接続することが可能であるので、非常に簡便に本考案の機能を達成することができる。これにより、液量計をタンクとは別の場所に設置して遠隔監視することが可能となる。
【考案を実施するための最良の形態】
【実施例】
【００１４】  図１は本考案による液量計の一実施例の断面図を示す。この実施例の構造としては、中空パイプ状浮力体１がホルダー部本体４の貫通孔内に挿入され、容器底部近くまで伸びている。ホルダー４内のこの浮力体１上部には付勢手段としてスプリング２が係合され、ホルダー内部底面に固定されて浮力体を上方に付勢している。一方浮力体１の上端部には突起状接点部が形成されている。ホルダー上蓋１１内面には２箇所に溝部が形成されており、支点としてのピン９がそれぞれの溝部に配置されている。この２箇所のピン９をまたぐように平板状のゲージプレート５が配置され、このゲージプレート５は上蓋１１がホルダー本体に固定された際には、浮力体接点部１０及び２箇所のピン９に接して常に一定のスパンでゲージプレートに曲げ加重を与える。ゲージプレート５の接点部と接する反対側の面にはストレインゲージ６からコードを介して伸びるコネクター端子が演算ソフト８に接続されている。【００１５】  次に、この実施例の液量計のメカニズムについて説明する。浮力体１はスプリング２による付勢を介してホルダー本体４に連結されている。従って、容器３内に液体がない場合にはゲージプレート５に与える圧力は最低となる。容器内の液量が多くなると浮力体１が部分的に液体内に浸漬されることになり、液体から受ける浮力が大きくなる。それにつれて、スプリング２による付勢力に加勢して浮力体１が上方へ与える圧力が大きくなる。浮力体からの圧力は接点部１０を介してゲージプレート５に伝達される。ゲージプレート５はピン９の支点により支えられているので、ゲージプレートは常に一定のスパンで曲げ加重を受けることになる。ゲージプレート５にはストレインゲージ６からコードを介して伸びるコネクター端子６が固着されているので、浮力体１からの圧力は、最終的にこのコネクター端子を通して演算ソフト８に伝達され、演算ソフトにより液位或いは液量として表示部７に表示される。【００１６】図２（ａ）は本考案による液量計の一実施例の断面図と、液量の変化と浮力体が受ける浮力の相関図を示す。浮力体の形状の断面積が均一であり、タンクの形状の断面積が均一の場合の実施例である。
図２（ｂ）は本考案による液量計の一実施例の断面図と、液量の変化と浮力体が受ける浮力の相関図を示す。浮力体の形状が液レベル又は液量の変化に比例して変化する浮力体形状であり、タンクの形状が球体の場合の実施例である。
【産業上の利用可能性】
【００１７】  本考案による液量計は、簡単かつコンパクトで場所を取らない構造のため、灯油タンク等の液体容器における液量表示に利用可能である。また、液位或いは液量情報が電気信号に変換されるため、表示部を液体容器から離れた場所に設置することも可能である。
【図面の簡単な説明】
【００１８】
【図１】（ａ）は本考案による液量計の一実施例を示す平面図、（ｂ）はその実施例の正面断面図である。
【図２】（ａ）は均一なタンク形状と均一な浮力体が検出する電気信号、（ｂ）は球体のタンク形状と均一な浮力体が検出する電気信号、（ｃ）は本考案による浮力体が検出する電気信号である。
【符号の説明】
【００１９】１    浮力体
２    スプリング
３    容器
４    ホルダー部本体
５    ゲージプレート
６    ストレインゲージ
７    表示部
８    演算ソフト
９    ピン
１０  接点部
１１  ホルダー上蓋
【図１】
0003119053.tif 000003
【図２】
0003119053.tif 000004